(57)【要約】【課題】    番組中の要約場面のみの録画を行うことにより、録画時間あるいは録画容量を削減することのできるダイジェスト録画システムを提供する。【解決手段】   放送番組データを受信する放送受信装置９０６と、受信した放送番組データをダイジェスト録画するための録画の重要度を表すランキング情報をランキングファイルとして放送番組データの録画前に外部から取得する通信装置９０５と、受信した放送番組データの一部をランキング情報をもとに生成したダイジェスト録画ファイル９１０に基づいて抽出してダイジェスト録画番組データを生成し、生成した番組データを記録部９１５に記録するダイジェスト録画装置とを備えた。【選択図】  図９
2006270793.tif 000002
【特許請求の範囲】
【請求項１】
放送番組データを受信する放送受信装置と、
受信した放送番組データをダイジェスト録画するための録画の重要度を表すランキング情報をランキングファイルとして放送番組データの録画前に外部から取得する通信装置と、
受信した放送番組データの一部をランキング情報をもとに生成したダイジェスト録画ファイルに基づいて抽出してダイジェスト録画番組データを生成し、生成した番組データを記録部に記録するダイジェスト録画装置とを備えたことを特徴とするダイジェスト録画システム。
【請求項２】
請求項１記載のダイジェスト録画システムにおいて、
放送番組毎のランキング情報を格納したサーバ装置を備えたことを特徴とするダイジェスト録画システム。
【請求項３】
請求項２記載のダイジェスト録画システムにおいて、
前記サーバ装置は、番組当初からの録画時間毎の重要度をランキング表示したランキングファイルを格納したことを特徴とするダイジェスト録画システム。
【請求項４】
請求項２記載のダイジェスト録画システムにおいて、
前記サーバ装置は、受信した放送番組データのフレーム番号毎の重要度をランキング表示したランキングファイルを格納したことを特徴とするダイジェスト録画システム。
【請求項５】
請求項２記載のダイジェスト録画システムにおいて、
前記サーバ装置は、受信した放送番組データのパケット番号毎の重要度をランキング表示したランキングファイルを格納したことを特徴とするダイジェスト録画システム。
【請求項６】
請求項３ないし５の何れか１記載のダイジェスト録画システムにおいて、
ダイジェスト録画ファイルは、ランキングファイルをもとに指定された録画の重要度に応じて生成することを特徴とするダイジェスト録画システム。
【請求項７】
請求項１記載のダイジェスト録画システムにおいて、
ランキングファイルは、放送番組データの録画を指定する際に前記通信装置を介して外部から自動的に取得することを特徴とするダイジェスト録画システム。
【請求項８】
請求項１記載のダイジェスト録画システムにおいて、
ランキングファイルは、付加データを備えたことを特徴とするダイジェスト録画システム。
【請求項９】
請求項８記載のダイジェスト録画システムにおいて、
付加データはダイジェスト画面の解説用の字幕データであることを特徴とするダイジェスト録画システム。
【請求項１０】
請求項１記載のダイジェスト録画システムにおいて、
放送データ受信装置は、ネットワークを介して放送されるストリーミング放送を受信することを特徴とするダイジェスト録画システム。
【請求項１１】
放送番組データを受信する放送受信装置と、
受信した放送番組データをダイジェスト録画するための録画の重要度を表すランキング情報をランキングファイルとして放送番組データの録画前に外部から取得する通信装置と、
受信した放送番組データの一部をランキング情報をもとに生成したダイジェスト録画ファイルに基づいて抽出してダイジェスト録画番組データを生成し、生成した番組データを記録部に記録するダイジェスト録画装置とを備えたことを特徴とする録画装置。
【請求項１２】
請求項１１記載の録画装置において、
前記ランキングファイルは、番組当初からの録画時間毎の重要度をランキング表示したファイルであることを特徴とする録画装置。
【請求項１３】
請求項１１記載の録画装置において、
前記ランキングファイルは、受信した放送番組データのフレーム番号毎の重要度をランキング表示したファイルであることを特徴とする録画装置。
【請求項１４】
請求項１１記載の録画装置において、
前記ランキングファイルは、受信した放送番組データのパケット番号毎の重要度をランキング表示したファイルであることを特徴とする録画装置。
【請求項１５】
請求項１２ないし１４の何れか１記載の録画装置において、
ダイジェスト録画ファイルは、ランキングファイルをもとに指定された録画の重要度に応じて生成することを特徴とする録画装置。
【請求項１６】
放送番組データを受信するステップと、
受信した放送番組データをダイジェスト録画するための録画の重要度を表すランキング情報をランキングファイルとして放送番組データの録画前に外部から取得するステップと、
受信した放送番組データの一部をランキング情報をもとに生成したダイジェスト録画ファイルに基づいて抽出してダイジェスト録画番組データを生成し、生成した番組データを記録部に記録するステップとを備えたことを特徴とする録画方法。
【請求項１７】
請求項１６記載の録画方法において、
前記ランキングファイルは、番組当初からの録画時間毎の重要度をランキング表示したファイルであることを特徴とする録画方法。
【請求項１８】
請求項１６記載の録画方法において、
前記ランキングファイルは、受信した放送番組データのフレーム番号毎の重要度をランキング表示したファイルであることを特徴とする録画方法。
【請求項１９】
請求項１６記載の録画方法において、
前記ランキングファイルは、受信した放送番組データのパケット番号毎の重要度をランキング表示したファイルであることを特徴とする録画方法。
【請求項２０】
請求項１７ないし１９の何れか１記載の録画方法において、
ダイジェスト録画ファイルは、ランキングファイルをもとに指定された録画の重要度に応じて生成することを特徴とする録画方法。
【発明の詳細な説明】
【技術分野】
【０００１】
本発明は、ダイジェスト録画システムに係り、特に番組の重要画面を要約して録画することのできるダイジェスト録画システムに関する。
【背景技術】
【０００２】
テレビ放送記憶用の記憶媒体として、ＤＶＤやハードディスクなど、大量の番組を録画予約することができ、さらに編集や消去を高速かつ容易に行うことが可能なディジタル記憶媒体が普及している。ユーザは記憶媒体の容量が許す限り、取り敢えず興味のある番組の録画を行い、放送時間に縛られることなく録画した番組を自分の好きな時間に閲覧することが容易になっている。
【０００３】
しかし、記憶媒体の大容量化に伴い、番組を大量に録画した場合には、録画した番組を全て閲覧することは困難になってくる。大容量の記憶媒体に録画した番組には、全ての場面を再生して閲覧したい番組と、あらすじさえ分かれば良い番組とが存在する。このため、あらすじさえ分かれば良い番組に関しては、録画した番組の要約場面のみを抽出して再生すると好都合である。
【０００４】
また、近年では、携帯端末向けの地上ディジタル放送が開始された。この携帯端末は記憶媒体にハードディスク等が使用される等の大容量化が進んでいる。このため、近い将来携帯端末で録画が可能になり、通学、通勤時などに閲覧するといった利用形態が考えられる。通学、通勤時においては閲覧時間が限られているため、要約場面のみの再生が役に立つと考えられる。しかし、一方で要約場面の抽出には録画した番組全体を解析することが必要であり、このためには、多大な処理コストが必要であり、携帯端末等の搭載できる機能に限りがある端末においては負担が大きい。
【０００５】
特許文献１には、録画した番組に関してネットワークを介して要約再生のための付加情報を提供し、付加情報を受信した端末が前記付加情報を反映しながら録画番組を再生するシステムが開示されている。このシステムによれば、前記付加情報を参照することにより録画したコンテンツの要約再生を行うことが可能である。
【特許文献１】特開２００４−３０４４０５号公報
【発明の開示】
【発明が解決しようとする課題】
【０００６】
特許文献１に示され要約再生方法は、予め要約再生しか行わないとわかっている番組に対しても番組の全てを記録することが必要である。このため、記憶媒体の容量を多量に消費することになる。
【０００７】
本発明は、このような問題点に鑑みてなされたもので、番組中の要約場面のみを録画することにより、録画時間あるいは録画容量を削減することのできるダイジェスト録画システムを提供するものである。
【課題を解決するための手段】
【０００８】
本発明は上記課題を解決するため、次のような手段を採用した。
【０００９】
放送番組データを受信する放送受信装置と、受信した放送番組データをダイジェスト録画するための録画の重要度を表すランキング情報をランキングファイルとして放送番組データの録画前に外部から取得する通信装置と、受信した放送番組データの一部をランキング情報をもとに生成したダイジェスト録画ファイルに基づいて抽出してダイジェスト録画番組データを生成し、生成した番組データを記録部に記録するダイジェスト録画装置とを備えた。
【発明の効果】
【００１０】
本発明は、以上の構成を備えるため、番組中の要約場面のみの録画を行うことにより、録画時間あるいは録画容量を削減することのできるダイジェスト録画システムを提供するものである。
【発明を実施するための最良の形態】
【００１１】
以下、最良の実施形態を添付図面を参照しながら説明する。図１は、本発明の第１の実施形態に係るダイジェスト録画システムを説明する図である。 図１に示すように、ダイジェスト録画システムは、放送局１０１より放送網１００を介して放送される映像や音声の番組コンテンツを受信して録画する端末装置１０２、前記端末装置１０２とネットワーク１０３を介して接続され双方向に通信可能なサーバ装置１０４を備える。
【００１２】
端末装置１０２は、放送される番組コンテンツを受信して録画すること、およびネットワーク１０３を介してサーバ装置とデータの送受信が可能であり、例えばＨＤＤや録画可能なＤＶＤを搭載した録画機、あるいはＨＤＤやメモリーカード等の外部記憶手段を持つ携帯電話やＰＤＡ、あるいはパーソナルコンピュータシステム等で構成することができる。
【００１３】
放送網１００は地上波放送、衛星放送で代表される電波を利用した放送網によって構成される。ネットワーク１０３は、インターネット等に代表されるＩＰネットワークや電話回線網、ＩＳＤＮ、ＰＨＳネットワーク、携帯電話ネットワーク、あるいは無線ＬＡＮ等を使用したネットワークによって構成される。サーバ装置１０４は大容量の記憶装置を具備し、複数の端末装置との通信を可能とするサーバ装置であり、パーソナルコンピュータシステムやワークステーション等で構成することができる。
【００１４】
図２は、端末装置１０２の詳細を説明する図である。図２に示すように端末装置１０２は出力装置２０１、ＣＰＵ２０２、主記憶装置２０３、入力装置２０４、通信装置２０５、放送受信装置２０６、コーデック装置２０７、二次記憶装置２０８を備える。これらの装置はバス２００を介して相互に接続される。
【００１５】
ＣＰＵ２０２は、例えば、汎用のプロセッサとすることができ、端末装置１０２の動作を規定するプログラムに基づき、端末装置１０２の全体を制御する。
【００１６】
主記憶装置２０３は、ＲＡＭやＲＯＭ、あるいはフラッシュメモリやハードディスク等によって構成され、ＣＰＵ２０１で実行されるプログラム、放送受信装置２０３によって入力された番組データ、通信装置２０８によって送受信されるデータ、表示装置２０５で表示される映像データや音声データ等のＣＰＵ２０１で処理されるデータを格納する。
【００１７】
放送受信装置２０６は、例えばチューナとすることができ、放送局１０１から放送される番組データを受信する。
【００１８】
コーデック装置２０７は、ＭＰＥＧ２等の映像符号化やＡＡＣ等の音声符号化を行うものであり、例えば専用のハードウェアあるいはＤＳＰ等によって実現され、放送受信装置２０３によって入力された番組データの解析を行い、映像および音声データの復号化および録画するための符号化、あるいは記憶装置２０６に録画された番組コンテンツの復号化を行う。また場合によってはコーデック装置２０４を省略し、ＣＰＵ２０１がその役割を担うことも可能である。
【００１９】
出力装置２０１は、例えばテレビやパソコンのディスプレイあるいは液晶パネル等によって構成され、録画されたコンテンツを再生した場合に、映像の表示や音声の出力を行う。また、ユーザが入力装置２０６を介して情報を入力する際にメニューや操作ガイダンス、あるいはユーザが入力した情報を表示する。
【００２０】
入力装置２０４は、例えばキーボード、マウス、リモコン、ペン入力装置等のポインティングデバイスあるいは液晶タッチパネル等によって実現され、ユーザによって入力される端末の操作に関する制御情報を取得する。
【００２１】
二次記憶装置２０８は、ＲＡＭやＲＯＭ、あるいはフラッシュメモリやハードディスク等によって構成され、例えば録画される番組データやサーバ装置より取得するランキングデータやダイジェスト録画ファイル等、本端末装置の電源を遮断した場合においても失いたくないデータを格納する。
【００２２】
通信装置２０５は、例えば無線ＬＡＮにおける無線ＬＡＮカードやネットワークカード、あるいはＰＨＳや携帯電話のネットワークに接続するためのモジュール等によって構成される。通信装置２０８を介して端末装置１０２はネットワーク１０３に接続可能となり、ネットワーク１０３を介して端末装置１０２とサーバ装置１０４は、セッションを開始および終了してデータを送受信することができる。
【００２３】
図３は、ダイジェスト録画予約プログラムの処理を説明する図である。まず、ユーザにより入力装置２０６を介してダイジェスト録画予約の指定が行われたかどうかを判断し（ステップ３０１）、ダイジェスト録画予約が指定されていないと判断した場合には通常予約設定を行う（ステップ３０２）。通常予約設定の方法は一般の録画機で使用されている公知の手法を用いるため、ここでは詳しく説明しない。ステップ３０２の通常予約設定を終えるとダイジェスト録画予約プログラムを終了する。
【００２４】
一方、ユーザによりダイジェスト録画予約の指定が行われた場合は、予約番組の選択を行う（ステップ３０３）。予約番組の選択方法は従来の録画機等で用いられている、電子番組案内（ＥＰＧ）やＧコードといった方法で選択を行う。同時に予約した番組に対して固有に割り振られている番組ＩＤを取得し、二次記憶装置２０８に保存しておく。番組ＩＤはＧコード等、番組を区別できるものであればよい。また二次記憶装置２０８に保存されている録画予約管理テーブルを呼び出し、予約したい番組の予約開始時間および予約終了時間が他の予約番組との重複していないか否かの判断を行う。予約時間が重複する場合には再び他の予約番組の選択を行うか、あるいはユーザからの指示によりダイジェスト録画予約プログラムの終了を行う。予約時間が重複していないと判断した場合には録画予約管理テーブルを更新する。録画予約管理テーブルについては後述する。
【００２５】
次いで通信装置２０８を介してサーバ装置１０４との通信によりランキング情報の取得を行う（ステップ３０４）。サーバとの通信内容については後述する。また取得するランキング情報の定義については後述する。
【００２６】
次いでサーバ装置１０４との通信結果によりランキング情報を取得したか否かを判断し（ステップ３０５）、ランキング情報の取得に失敗したと判断した場合はステップ３０２の通常予約設定を行う。一方、ランキング情報の取得に成功した場合にはダイジェスト予約設定を行う（ステップ３０６）。ダイジェスト予約設定については後述する。次いでステップ３０６のダイジェスト予約設定が終了するとダイジェスト録画予約プログラムを終了する。
【００２７】
次に、前記録画予約管理テーブルについて説明する。録画予約管理テーブルは端末装置１０２が録画プログラムの起動および終了を制御するための管理表であり、予約番組毎に一例として以下の項目をもつ。
【００２８】
（１０Ａ）録画予約番組ＩＤ
録画予約番組ＩＤ（１０Ａ）は予約されている番組を識別するためのものであり、前記番組ＩＤの他、録画予約管理テーブル内に保存されている番組を区別できるものであればよい。この項目は必須であるがユーザの指定ではなく、録画予約プログラムの中で一意に決めることができる。
【００２９】
（１０Ｂ）録画予約番組名
録画予約番組名（１０Ｂ）は予約されている番組をユーザが識別することを補助するものであり、例えば予約一覧画面等で表示することにより、何の番組が予約されているかを識別が容易になる。この項目は必須ではない。
【００３０】
（１０Ｃ）録画予約開始時間
録画予約開始時間（１０Ｃ）は録画を開始する予約時間であり、ユーザから入力装置２０６を介して直接時刻を指定される場合の他、ＥＰＧやＧコードから自動的に時間を取得することも可能である。この項目は必須である。
【００３１】
（１０Ｄ）録画予約終了時間
録画予約終了時間（１０Ｄ）は録画を終了する予約時間であり、ユーザから入力装置２０６を介して直接時刻を指定される場合の他、ＥＰＧやＧコードから自動的に時間を取得することも可能である。この項目は必須である。
【００３２】
（１０Ｅ）ダイジェスト録画ファイル名
ダイジェスト録画ファイル名（１０Ｅ）はダイジェスト録画を行う際に使用する、ダイジェスト録画ファイル名を保存している。ダイジェスト録画ファイルについては後述するが、本項目の有無により後のダイジェスト録画プログラムはダイジェスト録画を行うか否かを判断する。
【００３３】
（１０Ｆ）ビットレート
ビットレート（１０Ｆ）は端末装置１０２がＰＣやＨＤＤレコーダー等、映像および音声のディジタル圧縮を行い保存する場合のパラメータに用いる。
【００３４】
（１０Ｇ）録画先
録画先（１０Ｇ）は端末装置１０２がＰＣやＨＤＤレコーダ等、二次記憶装置２０８が複数存在する場合に用いる。この項目は必須であるが、初期値を与えておいてユーザからの指定がなければその値を用いてもよい。
【００３５】
次に、サーバ装置１０４との通信により、ランキング情報を取得する手続きについて説明する。サーバ装置１０４は、放送局１０２より放送予定の番組データの提供を受けているものとする。サーバ装置１０４は番組データの提供を受けた時点で番組データの解析を行い、実際に端末装置１０２と通信を行う前に予めランキング情報を算出する。
【００３６】
ランキング情報は、番組データより様々な場面の重要度を決定し、順番に並べたものであり、番組データ内の場面の位置を特定する位置情報と当該場面の重要度の組で記したものである。サーバ装置は、このランキング情報をランキングファイルとしてサーバ装置内の記憶装置に保存しておき、番組ＩＤを鍵として所望のランキングファイルを検索するプログラムを保存している。前記場面の重要度はサーバ装置を提供するコンテンツプロバイダの都合に合わせて設定してもよく、あるいは一定のアルゴリズムに基づき自動的に重要度を算出するといった手法を用いてもよい。
【００３７】
図４は、ランキングファイルの構成を説明する図である。ランキングファイルは図４に示すように、ランキングファイル書式４０１、ランキングファイル書式４０２およびランキングファイル書式４０３の３種類の書式を備え、用途に応じて使い分けが可能である。ただし、ランキングファイルの共通事項として、図に示すように番組データを識別するための番組ＩＤ４０４、番組ＩＤ４０５および番組ＩＤ４０６に示すような番組ＩＤ含む必要がある。ランキングファイルの検索は番組ＩＤを用いて行うことができる。
【００３８】
ランキングファイル書式４０１は、番組ＩＤ４０４の他、番組内の場面の録画時間４０７と当該場面の重要度４０８を一組として、番組全体の情報を並べたものである。録画時間４０７は番組の中の放映される時刻で示してもよいが、録画開始時刻からの差分値で示してもよく、時刻の単位に制限を設けない。録画時間４０７および重要度４０８は録画する一枚のフレーム毎に設定するが、場面の開始時間と終了時間を示してその時間間隔内の場面の重要度といった方法で示してもよい。
【００３９】
ランキングファイル書式４０２は番組ＩＤ４０５の他、番組内の場面のフレーム番号４０９と当該場面の重要度４１０を一組として、番組全体の情報を並べたものである。フレーム番号４０９は録画番組の開始を０フレームとし、場面までの差分フレーム数をフレーム番号として表示する。重要度４１０は録画する一枚のフレーム毎に設定するが、場面の開始フレーム番号と終了フレーム番号を示してそのフレーム間内の場面の重要度といった方法で示してもよい。
【００４０】
ランキングファイル書式４０３は番組ＩＤ４０６の他、番組データのパケット番号４１１と当該場面の重要度４１２を一組として、番組全体の情報を並べたものである。パケット番号４１１は録画番組の開始時に受け取ったパケットについてパケット番号４１１を０番とし、場面までの差分パケット数をパケット番号４１１として表示する。重要度４１０は録画する一枚のパケット毎に設定するが、場面の開始パケット番号と終了パケット番号を示してそのフレーム間内の場面の重要度といった方法で示してもよい。本ランキングファイル書式４０３はディジタル放送のように、番組データをパケット単位に分割することにより配信することができる場合のみ用いることができる。また前記パケット番号４１１はパケットを識別できる固有ＩＤが存在すればそれを用いてもよい。
【００４１】
図５は、ランキング情報を取得処理を説明する図である。端末装置１０２はネットワーク１０３を介してサーバ装置１０４と通信することによりランキング情報を取得することができる。
【００４２】
通信装置２０５を介してサーバ装置１０４と通信を行う場合、前記ステップ３０３の予約番組の指定の際に取得した番組ＩＤを用いて、サーバ装置１０４に対し、予約録画番組のランキング情報の検索を依頼する（ステップ５０１）。
【００４３】
サーバ装置１０４は端末装置１０２より指定された番組ＩＤを鍵として、サーバ装置内に保存している複数のランキングファイルに対して、前記ランキングファイルに含まれる番組ＩＤフィールドと一致するファイルがあるか否かを検索し（ステップ５０２）、指定された番組ＩＤを含むランキングファイルを発見した場合は、端末装置１０２に対して指定された番組ＩＤに対するランキングファイルを発見したことを通知し、かつ、発見したランキングファイルを、ネットワークを介し端末装置１０２に対して送信する(ステップ５０３）。
【００４４】
端末装置１０２は、受信したランキングファイルを二次記憶装置２０７に保存して、サーバとの通信を終了する。一方、指定された番組ＩＤを含むランキングファイルが見つからなかった場合には、端末装置１０２に対して指定番組ＩＤに対するランキングファイルが存在しないことを通知し（ステップ５０４）、端末装置１０２はサーバ装置からのランキングファイルが存在しないことの通知を受け取るとサーバ装置１０２との通信を終了する。
【００４５】
次に、図６，７を参照して、サーバ装置１０２より受信した前記ランキングファイルを使用して、ダイジェスト予約録画設定を行う際の処理を説明する。ここで、図６は端末装置１０２内におけるランキングファイルの流れを説明する図であり、図７はダイジェスト予約録画設定を行う際の処理を説明する図である。
【００４６】
図６において二次記憶装置６１１内に示されるランキングファイル記憶領域６１１には通信装置６０５を介してサーバ装置１０４から取得したランキングファイルが格納されている。
【００４７】
図７に示すように、ダイジェスト予約録画設定を行う際には、入力装置６０４を介しユーザ６０９が入力したランキング率を取得する（ステップ７０１）。ここで、ランキング率は、録画する番組全体の長さを１００としたときのダイジェスト録画を行う割合のことである。ランキング取得の際には出力装置６０１にランキング率の入力を促す表示し、ユーザによるテンキーやリモコンの数字ボタンによる入力により取得する。このとき、録画する映像や音声のビットレート、録画装置（ＶＨＳ，ＤＶＤおよびＨＤＤ）の選定等、録画に関するパラメータの取得を行う。
【００４８】
次いで、受信した前記ランキングファイルにおいて、重要度の高い場面から前記ランキング率の条件に合致する長さに到達するまで順に選択し、ダイジェスト録画ファイルを作成する（ステップ７０２）。ダイジェスト録画ファイルは前記ランキングファイルのうち録画する場面のみを抜き出したものであり、書式は図４で示したランキングファイルと同様である。なおランキング率と正確に一致する場面の選定を行う必要はなく、ランキング率に最も近い場面の選定を行ってもよい。
【００４９】
次いで、ダイジェスト録画ファイルより録画する番組コンテンツの録画容量、時間を計算し、出力装置６０１に対して表示する（ステップ７０３）。録画容量はステップ７０１により前記ランキング率と共に取得するビットレートと番組の録画時間より計算する。次いで、計算した録画容量および録画時間を出力装置６０１に表示してよりダイジェスト予約録画を行うか否かをユーザに問う（ステップ７０４）。入力装置６０４を介してユーザ６０９から許可を示す信号が入力された場合にはダイジェスト録画ファイルを二次記憶装置６０８内の録画予約管理テーブル６１２に保存し、ダイジェスト予約録画設定を終了する。一方、入力装置６０４を介してユーザから不許可を示す信号が入力されたと判断された場合にはステップ７０１に戻りステップ７０１から７０４の処理を繰り返す。
【００５０】
図８は、ダイジェスト録画処理を説明する図である。まず、図６に示すように、端末装置１０２は二次記憶装置６０８に保存されている録画予約管理テーブル６１２に基づき、録画時間になった場合には録画プログラムを起動し、また、終了時間になった場合には録画プログラム終了の制御を行う。録画開始時間付近になり、録画プログラムが起動すると、前記録画予約管理テーブル６１２にダイジェスト録画ファイルが格納されているか否かを調べる。ダイジェスト録画ファイルが格納されていると判断した場合にはダイジェスト録画プログラムを起動し、録画開始時間から録画終了時間までダイジェスト録画処理が行われる。
【００５１】
図８に示すように、録画プログラムを起動してダイジェスト録画処理を行うに際しては、まず、前記録画予約管理テーブル６１２に格納された録画番組のダイジェスト録画ファイル名１０Ｅの項目に対応するダイジェスト録画ファイルを二次記憶装置６０８より取得し、主記憶装置６０３に保存する。また、前記録画予約管理テーブルに格納された録画番組の録画ファイル名１０Ｂ、録画開始時間１０Ｃ、録画終了時間１０Ｅ、ビットレート１０Ｆおよび記録先１０Ｇの各項目に保存している値を取得し、主記憶装置６０３に保存する。次いで、取得した値をもとに、放送受信装置６０６やコーデック装置６０７のデータ転送先や符号化ビットレートなどの動作設定、さらには以降のダイジェスト録画プログラムで用いられるパラメータの設定を行う（ステップ８０１）。
【００５２】
次いで、放送受信装置６０６を介して番組データを取得する。このときダイジェスト録画処理を行う（ステップ８０２）。次に録画番組が終了したか否かを判断し（ステップ８０３）、録画番組が終了していない場合はステップ８０２および８０３を繰り返す。録画番組が終了したと判断した場合にはダイジェスト録画プログラムを終了する。なお、ステップ８０２のダイジェスト録画処理については後述する。
【００５３】
ダイジェスト録画処理の処理フローは、放送の形態（アナログ放送、ディジタル放送）および使用するランキングファイルの書式により異なることになる。このため、以下の４つの形態に分けて説明する。
【００５４】
（２０Ａ）アナログ放送でランキングファイル書式４０１を用いる場合
（２０Ｂ）アナログ放送でランキングファイル書式４０２を用いる場合
（２０Ｃ）ディジタル放送でランキングファイル書式４０１を用いる場合
（２０Ｄ）ディジタル放送でランキングファイル書式４０２を用いる場合
（２０Ｅ）ディジタル放送でランキングファイル書式４０３を用いる場合
図９，１０は、アナログ放送でランキングファイル書式４０１を用いる場合（２０Ａ）におけるダイジェスト録画処理を説明する図であり、図９は端末装置１０２内におけるランキングファイルの流れを説明する図、図１０はダイジェスト予約録画設定を行う際の処理を説明する図である。
【００５５】
アナログ放送の場合は映像データおよび音声データ等の番組データが時刻情報等を含むデータパケットの形態として送信されるのではなく、映像データおよび音声データが連続的に送信される。このため、ランキング書式４０３を用いることは不可能であり、必然的にランキングファイル書式４０１あるいは４０２が用いられる。
【００５６】
図９において符号化部９１４はコーデック装置９０７の機能の一つで、映像および音声データの符号化を行う。またコーデック装置９０７の中のバッファ領域９１３は番組データを一時的に保存しておくための領域であり、ＭＰＥＧ等の符号化方式で用いられる予測符号化のためのフレームデータの保存等に用いられる。また録画番組記録部９１５は二次記憶装置９０８の中に所在しており、録画番組の保存領域として用いられる。
【００５７】
次に、録画処理プログラムの処理フローについて説明する。図１０に示すように、最初に、図９に示す放送受信装置９０６より映像および音声を含む番組データを受信する（ステップ１００１）。なお、この番組データ受信時にはアナログ−ディジタル変換を行っているものとする。次いで主記憶装置９０３に所在するダイジェスト録画ファイル９１２に現在の時刻の記載があるか否かを判断する（ステップ１００２）。ステップ１００２の判断がブロック図９中のスイッチ９１６のＯＮ／ＯＦＦに対応する。
【００５８】
ステップ１００２においてダイジェスト録画ファイル９１０に現在時刻の記載がある場合には、ステップ１００１において受信した番組データをコーデック装置９０７に入力する（ステップ１００３）。コーデック装置９０７は適切な符号化処理を行った後、符号化番組データを二次記憶装置９０８内に所在する録画番組記録部９１５に記録する。
【００５９】
ステップ１００２においてダイジェスト録画ファイル９１０に現在時刻の記載がない場合には、ステップ１００１において受信した番組データが符号化に必要か否かを判断する（ステップ１００４）。例えば、ＭＰＥＧに代表される動画符号化方式においては、番組の早送り、巻き戻し、途中からの再生の機能を持たせるためにいくつかの映像フレームの集まりをＧＯＰと呼び、ＧＯＰ単位での再生を保証しており、多くのＨＤＤ録画機ではＧＯＰ単位での保存を行っている。そこでＧＯＰ単位での保存を行うために、ダイジェスト録画ファイルに記載されていない時刻のフレームについても符号化の必要な場面が生じ、その場合はステップ１００３へと進む。一方、番組データが符号化に必要ないと判断した場合には、受信番組データを破棄してダイジェスト録画処理を終了する。
【００６０】
なお、ダイジェスト録画ファイルをあらかじめＧＯＰ単位で番組を録画できるように作成することも可能であり、その場合にはステップ１００４は無視される。
【００６１】
次に、アナログ放送でランキングファイル書式４０２を用いる場合（２０Ｂ）のダイジェスト録画処理プログラムの処理について説明する。本方式によるダイジェスト録画処理プログラムは、アナログ放送でランキングファイル書式４０１を用いる場合（２０Ａ）
と処理フローとほぼ同じで、ステップ１００２がダイジェスト録画ファイルのフレーム番号と、受信した番組データのフレーム数と一致するか否かを判断するという処理に置き換わることのみが異なる。このため詳細な説明は省略する。
【００６２】
図１１，１２は、ディジタル放送でランキングファイル書式４０１を用いる場合（２０Ｃ）のダイジェスト録画処理を説明する図であり、図１１は端末装置１０２内におけるランキングファイルの流れを説明する図、図１２はダイジェスト予約録画設定を行う際の処理を説明する図である。
【００６３】
図１１において、コーデック装置１１０７の中のストリーム解析部１１１４はディジタル放送のように映像や音声をデータパケット単位で受信する場合に、データパケットの内容を解析し、映像・音声および付随データの分離を行う。なお、符号化／復号化部１１１５は、画質や符号化方式を変更してディジタル放送の記録する場合に復号化の処理が必要となるため、図９の符号化部９１３に対して復号化の機能を加えたものである。
【００６４】
次に、ディジタル放送でランキングファイル書式４０１を用いる場合（２０Ｃ）のダイジェスト録画処理プログラムの処理フローについて図１２を用いて説明する。図１２に示すようにダイジェスト録画処理プログラムは最初に、放送受信装置１１０６より番組データパケットを取得する（ステップ１２０１）。次いで前記ストリーム解析部１１１４においてステップ１２０１により取得した前記番組データパケットの解析および分離を行う（ステップ１２０２）。ステップ１２０２により、番組データパケット内に含まれる各フレームの再生時刻情報を取得する。同時に番組データパケット内の番組映像データと番組音声データを分離する。
【００６５】
次いで分離された前記番組映像データを前記符号化／復号化部１１１５に入力する（ステップ１２０３）。ステップ１２０３は、ステップ１２０２により取得される前記再生時刻情報の並びと前記番組映像データの復号順序が対応しない場合に必要なステップで、例えばＭＰＥＧといった双方向予測が可能な符号化方式を用いて符号化された映像データは、映像フレームの復号化順序と映像フレームの再生順序が異なることがある。再生時刻情報をフレームの復号化順序を考慮して、番組映像パケット内に格納されている場合はステップ１２０３の処理は不要となるが、再生時刻情報がフレームの復号化順序を考慮せずに番組映像パケット内に格納されている場合は、フレーム予測方法を調べないと実際の再生時刻を取得することができない。よって前記番組データパケット内に含まれる全ての前記番組映像データに対して、フレーム予測方法を取得し、ステップ１２０２により取得した前記再生時刻情報との対応付けにより、各フレームの正確な再生時刻情報を取得する。フレーム予測方式の取得方法は、番組データパケットのシンタックスによりフレーム予測手法の並び方を取得できる場合は番組映像データを復号化する必要はなく、ステップ１２０３の処理は不要となる。またＭＰＥＧ等の符号化方式は、フレームのヘッダ部分にフレーム単位の予測方式を格納しており、フレーム単位でビットストリームの識別が可能とされているので、フレームのヘッダ部分のみを復号化すれば番組データパケット内に含まれる映像データのフレーム予測方式の取得が可能である。その場合は全てのフレーム全体の復号化を行うよりも、処理量を減らすことができる。また、フレーム単位でのビットストリームの識別が不可能な場合には映像データの全ての復号化を行う必要があるが、復号化結果をバッファ領域１１１５に保存しておき、後のステップで再び復号化を行わないようにすればよい。
【００６６】
次いで、ステップ１２０３により取得した前記再生時刻情報がダイジェスト録画ファイル１１１０に含まれるか否かを判断する（ステップ１２０４）。ステップ１２０４の判断がブロック図１１中のスイッチ１１１７のＯＮ／ＯＦＦに対応する。前記再生時刻情報がダイジェスト録画ファイルに含まれると判断した場合には前記番組映像データおよび前記番組音声データを符号化／復号化部１１１５へ入力し、符号化処理を行い、録画番組記録部１１１６へ記録する（ステップ１２０５）。ディジタル放送の場合符号化された番組データを受信するため、番組データに手を加えず録画番組記録部１１１６へ記録してもよい。また保存容量を抑えるために番組データの品質や符号化方式を変更して保存する場合には、番組映像データや番組音声データを一旦復号化し、再符号化を行った後、録画番組記録部１１１６へ記録する。
【００６７】
ステップ１２０４において前記再生時刻情報がダイジェスト録画ファイル１１１０に含まれないと判断した場合には、番組映像データや番組音声データが次以降のフレームの復号化に必要なデータか否かを判断する（ステップ１２０６）。
【００６８】
上記で説明したようにＭＰＥＧ等の映像符号化方式やＡＡＣ等の音声符号化方式で番組映像や番組音声の符号化が行われた場合は、現在のフレームの復号化に以前のフレームで復号化結果が必要な場合がある。そこで当該フレームが次以降のフレームの復号化に必要であると判断した場合には、ステップ１２０５の処理を行う。具体的には、番組データに手を加えず録画番組記録部１１１６に記録する場合には、当該フレームがダイジェスト録画ファイルへの対象に含まれない場合はそのまま保存を行う。本方式の場合、ユーザの指定外の場面が記録されることになるが、録画の際に用いたダイジェスト録画ファイル１１０９を参照しながら再生するといった手法を用いることにより、閲覧の際にはユーザが指定した場面のみを再生することが可能である。また番組データの品質や符号化方式を変更して保存する場合には、次以降のフレームの復号化に必要なためバッファ領域１１１３に保存しておく。
【００６９】
ステップ１２０５において番組映像データや番組音声データが次以降のフレームの復号化に必要ないと判断された場合、あるいはステップ１２０５の処理が終了すると、番組データパケット内に他の番組データが残っているか否かを判断し、残っていると判断した場合には、ステップ１２０４からステップ１２０７までを繰り返し実行する。一方、番組データパケット内に他の番組データは残っていないと判断した場合にはダイジェスト録画処理を終了する。
【００７０】
次に、ディジタル放送でランキングファイル書式４０２を用いる場合（２０Ｄ）のダイジェスト録画処理プログラムの処理について説明する。本方式によるダイジェスト録画処理プログラムは、ディジタル放送でランキングファイル書式４０１を用いる場合（２０Ｃ）の処理フローとほぼ同じで、ステップ１２０４がダイジェスト録画ファイルのフレーム番号と、受信した番組データのフレーム数と一致するか否かを判断するという処理に置き換わることのみが異なる。このため詳細な説明は省略する。
【００７１】
図１３，１４は、ディジタル放送でランキングファイル書式４０３を用いる場合（２０Ｅ）のダイジェスト録画処理を説明する図であり、図１３は端末装置１０２内におけるランキングファイルの流れを説明する図、図１４はダイジェスト予約録画設定を行う際の処理を説明する図である。
【００７２】
図１３は図１１とほぼ同様であり、図１３における番組データの転送スイッチ１３１７の位置が図１１のスイッチ１１１７の位置と異なるのみである。図１４に示すようにダイジェスト録画処理プログラムは最初に、放送受信装置１３０６より番組データパケットを取得する（ステップ１４０１）。次いでコーデック装置１３０７の中のストリーム解析部１３１４においてステップ１４０１により取得した前記番組データパケットの解析および分離を行う（ステップ１４０２）。ランキングファイル書式４０３のパケット番号４１１が受信パケット数で示されている場合は、番組録画開始時を０とする受信パケット数と呼ばれる変数を用意し、現在まで前記受信パケット数の合計をパケット番号として設定し、受信パケット数に１を加算する。一方、ランキングファイル書式４０３のパケット番号４１１が固有ＩＤで記述されていれば、番組データパケットの解析結果により、現在のデータパケットＩＤを取得しパケット番号として設定する。
【００７３】
次いでステップ１４０２により取得した前記パケット番号がダイジェスト録画ファイル１３１０に含まれるか否かを判断し（ステップ１４０３）、前記パケット番号がダイジェスト録画ファイル１０に含まれると判断された場合には、番組パケットデータをコーデック装置１３０７の中の符号化／復号化部に入力する（ステップ１４０４）。ステップ１４０３の判断がブロック図１３中のスイッチ１３１７のＯＮ／ＯＦＦに対応する。品質や符号化方式の変更がなければ番組パケットデータを二次記憶装置１４０８内の録画番組記録部１３１６へ記録し、一方品質や符号化方式の変更の必要があれば符号化／復号化部１４１５を用いて再符号化処理を行った後、録画番組記録部１３１６へ記録し、ダイジエェスト録画処理プログラムを終了する。
【００７４】
ステップ１４０３において、ステップ１４０２により取得した前記パケット番号がダイジェスト録画ファイル１３１０に含まれていないと判断された場合は、番組パケットデータを破棄しダイジェスト録画処理を終了する。
【００７５】
なお、図９、図１１および図１３において、コーデック装置の中のストリーム解析部や符号化／復号化部はＣＰＵで実行するソフトウェアとして実装することも可能であり、その場合バッファ領域は主記憶装置の中の一部を使用する。
【００７６】
また、以上の説明では、アナログ放送およびディジタル放送に代表される電波を用いた放送を想定して説明したが、インターネット等のネットワークを経由したストリーミング放送のダイジェスト録画にも用いることが可能であり、その場合放送受信装置２０６は省略が可能で、図１２および図１４のダイジェスト録画処理プログラムのフローチャートは番組データパケットの取得先が放送受信装置２０６から通信装置２０５となる点のみが異なる。
【００７７】
図１５，１６，１７は、本発明の第２の実施形態を説明する図である。本実施形態は、第１実施形態と似た構成を有するので、共通する構成については、説明を省略する。第１の実施形態においては、端末１０２がランキングファイルをネットワーク１０３経由でサーバ装置１０４との通信により取得し、端末１０２内で取得したランキングファイルに対してユーザから指定されたランキング率を基に加工し、ダイジェスト録画ファイルを作成した。これに対して、第２の実施形態では、サーバ装置１０４との通信の際にユーザからのランキング率等のオプションを指定して、ダイジェスト録画ファイルを直接取得する。
【００７８】
なお、端末装置のＣＰＵ２０１によって実行されるダイジェスト録画予約プログラムの処理フローは、図３の処理フローをそのまま用いることができる。ただし、ステップ３０５においてはランキングファイルを取得するのではなく、ダイジェスト録画ファイルを取得する点が異なる。このため本実施形態においてはステップ３０６のダイジェスト予約設定プログラムを省略することが可能である。
【００７９】
次に、端末装置１０２がネットワーク１０３を介しサーバ装置１０４との通信によりダイジェスト録画ファイルを取得する手続きについて説明する。図１５は端末装置１０２内におけるダイジェスト録画ファイルの流れを説明する図、図１６はダイジェスト予約録画設定を行う際の処理を説明する図である。
【００８０】
図に示すように、本実施形態においては、ユーザからの指定が通信装置１５０６を介し、サーバ装置１０４に入力され、その結果ダイジェスト録画ファイルが生成される点で第１の実施形態と異なる。
【００８１】
図１６において、まず、端末装置１０２は通信装置１５０５を介して、サーバ装置１０４に対しステップ３０３の予約番組の指定により取得した番組ＩＤを用いて、予約録画番組のランキング情報の検索を依頼する（ステップ１６０１）。サーバ装置１０４は端末装置１０２より指定された番組ＩＤを鍵として、サーバ装置内に保存している複数のランキングファイルに対して、前記ランキングファイルに含まれる番組ＩＤフィールドと一致するか否かを検索し（ステップ１６０２）、当該ランキングファイルが存在しないと判断すると、端末装置１０２に対して指定番組ＩＤに対するランキングファイルが存在しないことを通知し（ステップ１６０３）、端末装置１０２はサーバ装置からのランキングファイルが存在しないことの通知を受け取るとサーバ装置１０２との通信を終了する。
【００８２】
ステップ１６０２において、ランキングファイルが存在すると判断すると、端末装置１０２はユーザ１５０９から指定されるランキング率およびビットレート等の録画オプションデータを取得する（ステップ１６０４）。端末装置１０２は取得した前記ランキング率を、通信装置１５０５を介してサーバ装置１０４へと送信する。サーバ装置１０４は端末装置１０２との通信により、ユーザ１５０９から指定された前記ランキング率を受信し、ステップ１６０１において発見した前記ランキングファイルと前記ランキング率からダイジェスト録画ファイルを作成する（ステップ１６０５）。
【００８３】
次にサーバ装置１０４はダイジェスト録画ファイルより録画する番組コンテンツの録画容量、時間を計算し、端末装置１０２に前記録画容量および時間を通知する（ステップ１６０６）。端末装置１０２はサーバ装置１０４からの録画容量および時間等の通知を、通信装置１５０５を介して受信すると、出力装置１５０１に対して表示する。ユーザ１５０９は出力装置２０５に表示される前記録画容量および時間等を見て判断し（ステップ１６０７）、取得した前記録画容量および時間等で構わないと判断すれば、端末装置１０２は通信装置１５０５を介してユーザ１５０９からの許可が得られたことを示す許可信号をサーバ装置１０４へと送信し、サーバ装置１０４は端末装置１０２からの前記許可信号を受信した後に、前記ダイジェスト録画ファイルを端末装置１０２に対して送信する（ステップ１６０８）。端末装置１０２は前記ダイジェスト録画ファイルを通信装置１５０５経由で受信すると、二次記憶装置１６０８内の録画予約管理テーブル１６１０へ保存し、サーバ装置１０４との通信を終了する。一方、ステップ１６０７においてユーザ１５０９は前記録画時間および録画容量での録画を認めない場合はステップ１６０４からステップ１６０７までを再び繰り返す。
【００８４】
このように、本実施形態では、ダイジェスト録画ファイルのみが端末１０２に保存される。このためランキングファイルの作成アルゴリズム等の作成手法の一部をユーザに対して隠蔽することができる。
【００８５】
また、前記ランキングファイルはサーバ装置１０４において生成されるか、あるいは放送局１０１からの提供により取得したものである。このためランキングファイル中の重要度を放送局等のコンテンツプロバイダの都合に合わせて設定することができる。例えば、番組スポンサーＣＭ等、ユーザにスキップして欲しくない場面について重要度を高く設定しておき、そのランキングファイルに基づいたダイジェスト録画ファイルを提供することにより、番組スポンサーＣＭを優先的にユーザに視聴させることも可能である。
【００８６】
また、ダイジェスト録画ファイルを取得しようとするユーザに対し課金制度を設け、有料ユーザ向けに録画番組内のＣＭをスキップしたダイジェスト録画ファイルを提供し、無料ユーザ向けには録画番組内のＣＭを必ず録画するダイジェスト録画ファイルを提供する等のサービスを行うことも可能である。この場合はランキングファイルを番組毎に数種類用意する必要がある。
【００８７】
また、ユーザからの指定があればランキングファイル書式を拡張して、ユーザに付加データを与えてもよい。図１７は、拡張されたランキングファイル書式の例を示す図である。ランキングファイル書式は番組ＩＤ１７０１、録画時間１７０２、重要度１７０３および付加データ１７０４を備える。ここで付加データ１７０４は端末装置１０２が要約録画する際に記録される。付加データの種類はユーザからの指定やコンテンツプロバイダの都合により選択可能である。
【００８８】
付加データとしては、次のような項目を挙げることができる。
【００８９】
（３０Ａ）ダイジェスト場面用解説字幕データ
要約録画を行うと、実際に再生して視聴する際、細切れになって場面内容の理解が困難になる場合がある。このような場合、ランキングファイル書式１７０１の録画時間１７０２に対応する時刻の場面に付加データ１７０５に示されている要約場面用解説字幕データを表示させることにより、ユーザの場面の理解を助けることができる。
【００９０】
（３０Ｂ）画像ファイル名
ランキングファイル書式の録画時間１７０２に対応する時間の番組データを、付加データ１７０４に示されている画像ファイル名の画像を番組映像と重ね合わせ処理などを施して記録する。画像ファイルは図１６のステップ１６０８のダイジェスト録画ファイル取得の際に同時に取得する。例えば画像ファイルをＣＭ画像としておき、本ＣＭ画像を重ねて録画する場合、ユーザは無料でダイジェスト録画ファイルを取得可能とする。
【００９１】
なお、付加データ１７０４を扱うことは必須でないため、端末装置１０２は付加データ１７０４を無視して要約録画を行ってもよい。また録画時間１７０２は図４のランキングファイル書式４０２および４０３で示されるフレーム番号やパケット番号に置き換えてもよい。
【００９２】
図１８，１９，２０は、本発明の第３の実施形態を説明する図であり、図１８はダイジェスト録画システムを説明する図、図１９は、端末装置１０２の詳細を説明する図である。
【００９３】
本実施形態は、第１および第２の実施形態と似た構成を有するので、共通する構成については、説明を省略する。
【００９４】
第１および第２の実施形態においては端末１０２がランキングファイルをネットワーク１０３経由でサーバ装置１０４との通信により取得する場合について説明した。これに対して、第３の実施形態では、ランキングファイルをディジタル放送のデータパケット経由で取得を行う。
【００９５】
図１８、１９に示すように、端末１８０２がランキングファイルを放送網１８００経由で放送局１９０１との通信により取得し、端末１８０２内で取得したランキングファイルに対してユーザから指定されたランキング率を基に加工し、ダイジェスト録画ファイルを作成する。
【００９６】
図２０は、端末装置１８０２のＣＰＵ２０１により実行されるダイジェスト録画予約プログラムの処理フローを示す図である。なお、図２０は図３のサーバとの通信を行う処理（ステップ３０３）が受信放送データより番組ＩＤと合致するランキングファイルの検索を行う処理（ステップ２００３）に置き換わること以外は図３と同様である。このため、図３と異なる処理についてのみ説明する。
【００９７】
本実施形態においてランキングファイルは、放送局１８０１により配信され、ディジタル放送等で用いられる例えばＭＰＥＧ−２ ＴＳ等の番組パケットデータ中に含まれる。ランキングファイルは、現行の電子番組表と同様に例えばＭＰＥＧ−２ ＴＳの番組配列情報（ＩＳＯ／ＩＥＣ １３８１８−１）に分類される。ステップ１９０３において端末装置１８０２は一定時間内に放送受信装置１９０６より取得する番組パケットデータを次々とコーデック装置１９０７のストリーム解析部１９１４にて解析し、ランキングファイルが含まれているか否かを判断する（ステップ２００４）。ランキングファイルが含まれている場合はランキングファイルを取得する。予約録画を行う番組ＩＤに対し、ランキングファイルが存在する場合はランキングファイルを二次記憶装置１９０８のランキングファイル記憶領域１９１１に転送する。次いで、上述の第１の実施形態と同様にダイジェスト予約設定処理（ステップ２００５）の処理を行う。一方、ランキングファイルが存在しない場合は通常予約処理（ステップ２００６）を行う。なお、本実施形態ににかかるダイジェスト録画処理プログラムは第１の実施形態と同様であるため、説明は省略する。
【００９８】
なお、ディジタル放送の場合、端末装置は電子番組表により予約番組に関連する情報を取得可能である。よって放送局１８０１はランキングファイルを、電子番組表を構成するデータに関連付けて配信することにより、端末装置１８０２は電子番組表を番組に関連したランキングファイルの存在の有無を視覚化することが可能であり、その場合ステップ２００２の番組ＩＤ取得の際にランキングファイルを自動的に取得可能になり、ステップ２００３を省略することが可能である。
【００９９】
また、本実施形態は、電波を利用した放送ではなくインターネット等を利用したストリーミング放送の場合にも適用可能である。ストリーミング放送に対して利用する場合は放送受信装置２０６が省略され、通信装置２０５が必須となる。しかし、番組データやランキングファイルを、通信装置２０５を介して取得する点以外は上述の処理方法と大差ないため説明は省略する。
【図面の簡単な説明】
【０１００】
【図１】本発明の第１の実施形態に係るダイジェスト録画システムを説明する図である。
【図２】端末装置１０２の詳細を説明する図である。
【図３】ダイジェスト録画予約プログラムの処理を説明する図である。
【図４】ランキングファイルの構成を説明する図である。
【図５】ランキング情報の取得処理を説明する図である。
【図６】端末装置１０２内におけるランキングファイルの流れを説明する図である。
【図７】ダイジェスト予約録画設定を行う際の処理を説明する図である。
【図８】ダイジェスト録画処理を説明する図である。
【図９】端末装置１０２内におけるランキングファイルの流れを説明する図である。
【図１０】ダイジェスト予約録画設定を行う際の処理を説明する図である。
【図１１】端末装置１０２内におけるランキングファイルの流れを説明する図である。
【図１２】ダイジェスト予約録画設定を行う際の処理を説明する図である。
【図１３】端末装置１０２内におけるランキングファイルの流れを説明する図である。
【図１４】ダイジェスト予約録画設定を行う際の処理を説明する図である。
【図１５】第２の実施形態に係る端末装置１０２内におけるダイジェスト録画ファイルの流れを説明する図である。
【図１６】ダイジェスト予約録画設定を行う際の処理を説明する図である。
【図１７】拡張されたランキングファイル書式の例を示す図である。
【図１８】第３の実施形態に係るダイジェスト録画システムを説明する図である。
【図１９】端末装置１０２の詳細を説明する図である。
【図２０】端末装置１８０２のＣＰＵ２０１により実行されるダイジェスト録画予約プログラムの処理フローを示す図である。
【符号の説明】
【０１０１】
１００  放送網
１０１  放送局
１０２  端末装置
１０３  ネットワーク
１０４  サーバ装置
２０１  出力装置
２０２  ＣＰＵ
２０３  主記憶装置
２０４  入力装置
２０５  通信装置
２０６  放送受信装置
２０７  コーデック装置
２０８  二次記憶装置
６１０  ダイジェスト録画ファイル
６１１  ランキングファイル記憶領域
６１２  録画管理テーブル
９１３  バッファ領域
９１４  符号化部
９１５  録画番組記録部
１１１４  ストリーム解析部
１１１５  符号化／復号化部
【図１】
2006270793.tif 000003
【図２】
2006270793.tif 000004
【図３】
2006270793.tif 000005
【図４】
2006270793.tif 000006
【図５】
2006270793.tif 000007
【図６】
2006270793.tif 000008
【図７】
2006270793.tif 000009
【図８】
2006270793.tif 000010
【図９】
2006270793.tif 000011
【図１０】
2006270793.tif 000012
【図１１】
2006270793.tif 000013
【図１２】
2006270793.tif 000014
【図１３】
2006270793.tif 000015
【図１４】
2006270793.tif 000016
【図１５】
2006270793.tif 000017
【図１６】
2006270793.tif 000018
【図１７】
2006270793.tif 000019
【図１８】
2006270793.tif 000020
【図１９】
2006270793.tif 000021
【図２０】
2006270793.tif 000022